(57)【特許請求の範囲】
【請求項１】
サムターン軸の大径部を受け止める小径カップ状の受け部を有し、そのカップの底面にサムターン軸を貫通させる挿通孔を開口させると共に、カップの開口端縁部の外周縁に、フランジを、カップに一体に結合した固定板と、この固定板よりやや大きい薄板円板で、中央に上記受け部を貫通させる第１貫通孔を形成し、外周縁に弾性変形可能な複数の脚片を一体に垂設すると共に、これらの脚片の内少なくとも２つに外方に向かう突部を一体に形成した受け板と、内径が上記受け板の外径より大きな浅いカップ状で、そのカップの開口端縁部内周面に脚片の突部と係合する環状溝を形成すると共に、そのカップの底面中央に、つまみを室内側に出し、つまみと一体のサムターン軸をカップの内側にしてサムターンを回動自在に支承した座本体とを有し、受け板を、扉内面と、受け部のカップの開口を室内側に向けた固定板とで挟んだ状態で、受け板及び固定板を扉内面に固定し、次いで、座本体のカップの開口を扉内面に向け、サムターン軸を挿通孔に差し通すようにして座本体を固定板に近接させ、その環状溝と受け板の突部とを係合させることにより、座本体を受け板を介してドア内面に取り付けるようにすると共に、座本体の開口端縁に工具類の先端部を係入させるための切欠きを設けたことを特徴とするサムターンの取付け座。
【発明の詳細な説明】
【０００１】
【発明の属する技術分野】
この発明は、錠のデッドボルト等を室内側から操作するためにドアの内側に設けるサムターンの取付け座の改良に関する。
【０００２】
【従来の技術】
従来、普通に用いられているサムターンの取付け座としては、取付けねじでドア等に固定される円形状の固定板と、サムターン軸を支承させた有底円筒状の座本体とを互いに螺合させ、固定板と座本体とのねじ合わせにおける緩みを防止するため、前記固定板の内面に、座本体の内面に接するようにして波形の板ばねを鋲止め等により取り付けたものを挙げることができる。
【０００３】
【発明が解決しようとする課題】
この発明のサムターンの取付け座は、固定板及び座本体に対するねじ切り並びに特別に準備されなければならない波形の板ばねを廃し、製作におけるコストダウンを計る目的で提案されたものである。
【０００４】
【課題を解決するための手段】
上記の目的を達成するため、この発明は、サムターン軸の大径部を受け止める小径カップ状の受け部を有し、そのカップの底面にサムターン軸を貫通させる挿通孔を開口させると共に、カップの開口端縁部の外周縁に、フランジを、カップに一体に結合した固定板と、この固定板よりやや大きい薄板円板で、中央に上記受け部を貫通させる第１貫通孔を形成し、外周縁に弾性変形可能な複数の脚片を一体に垂設すると共に、これらの脚片の内少なくとも２つに外方に向かう突部を一体に形成した受け板と、内径が上記受け板の外径より大きな浅いカップ状で、そのカップの開口端縁部内周面に脚片の突部と係合する環状溝を形成すると共に、そのカップの底面中央に、つまみを室内側に出し、つまみと一体のサムターン軸をカップの内側にしてサムターンを回動自在に支承した座本体とを有し、受け板を、扉内面と、受け部のカップの開口を室内側に向けた固定板とで挟んだ状態で、受け板及び固定板をドア内面に固定し、次いで、座本体のカップの開口を扉内面に向け、サムターン軸を挿通孔に差し通すようにして座本体を固定板に近接させ、その環状溝と受け板の突部とを係合させることにより、座本体を受け板を介して扉内面に取り付けるようにすると共に、座本体の開口端縁に工具類の先端部を係入させるための切欠きを設けたことを特徴とする。
【０００５】
【発明の実施の形態】
以下、図面に示す実施例に基づいてこの発明について説明する。この発明の各部材は、ステンレススチール、真ちゅうその他の金属材料又は強靱な合成樹脂材料で製作される。
【０００６】
図１〜図５において、符号１０はドア、１は受け板、２は固定板、３は座本体をそれぞれ示す。
【０００７】
受け板１は、図２及び図３に明示するように、比較的薄い金属材等で円形状に形成され、サムターン軸４１を貫通させる第１貫通孔１１及び取付けねじ５を貫通させる第２貫通孔１２を備えている。
【０００８】
そして更に、受け板１の外周部には、適当な間隔を隔てて該受け板１に対し直角をなす複数（図示例では４つ）の脚片１３を一体に設け、また、前記脚片１３の少なくも２つに（図示例では４つ全てに）外方に向け一体の突部１４を形成する。
【０００９】
図２及び図３で、符号１５は各脚片１３部分に必要に応じて設けた係止孔で、後記の固定板２の突部２４を係止させるためのものである。
【００１０】
固定板２は、図１及び図４に示すように、中心部にサムターン軸４１の大径部を受け止める受け部２１を有し、正面形は円形に形成されている。また、その固定板２には、サムターン軸４１を貫通させる挿通孔２２及び取付けねじ５を差し込むためのねじ孔２３が穿設され、前記の受け板１における係止孔１５に対応させてそれへ係止させるための任意数の突部２４を必要に応じて設ける。
【００１１】
固定板２は、予め、受け板１の内面に当接させ、かつ該受け板１の複数の脚片１３の内側に挟持させることによって嵌合固定させる。前述の突部２４及び係止孔１５を設けたものにあっては、固定板２と受け板１との固定状態が更に強化される。
【００１２】
図１において、符号６は受け板１を挟むようにして固定板２に鋲等により固設した振れ止め筒である。この振れ止め筒６は必ずしも設けることを要しない。
【００１３】
なお、固定板２を示した図４において、符号２５は前記の振れ止め筒６を取り付けるための鋲用の差し込み孔である。
【００１４】
図１及び５に示すように、外端につまみ４２を有するサムターン軸４１を支承させる座本体３は有底筒状をなし、座本体３の胴部内周には、受け板１における脚片１３の突部１４を該脚片１３の弾性変形を利して着脱可能に係着させるために、環状溝３１が形成してあり、座本体３の軸線方向の内端側、すなわち胴部の内端には、座本体３を離脱させたい時にドライバ等の工具類の先端を係入させるための任意数の切欠きが設けてある。
【００１５】
図１で、符号４３は座金、４４は止めリング、４５はデッドボルトに対する連係部材をそれぞれ示している。
【００１６】
次に、図１の実施例で、この発明の取付け座のドア１０に対する装着について説明する。
【００１７】
先ず、サムターン軸４１及びつまみ４２が組み付けられた座本体３を受け板１から切り離した状態で、予め組み付けられた受け板１、固定板２及び振れ止め６の組立体を、呼び付けねじその他の取付けねじ５でドア１０の表面に直接又は間接的に固定する。
【００１８】
次いで、サムターン軸４１を固定板２の挿通孔２２及び受け板１の第１貫通孔１１に貫通させるようにして、座本体３の胴部を受け板１の脚片１３の外側に嵌め込み、脚片１３を弾性変形させつつその脚片１３の突部１４に対し座本体３の環状溝３１を係入させ、もって座本体３の装着を完了する。
【００１９】
逆に、必要に応じ座本体３を組立体から取り外したい場合は、座本体３の切欠き３２にドライバ等の工具類の先端を差し込み、こじるようにして座本体３を切り離す。
【００２０】
【発明の効果】
以上に説明したこの発明のサムターンの取付け座は、従来のものとは異なり、ねじ切り加工を必要とせず、また、板ばねを要しないので、製作におけるコストダウンが計れるのみならず、ドアに対する装着具合も極めて安定しているなどの効果を奏する。
【図面の簡単な説明】
【図１】この説明に係るサムターンの取付け座の実施例を示す縦断側面図。
【図２】図１の取付け座から取り外した受け板の縦断側面図。
【図３】その正面図。
【図４】図１の取付け座から取り外した固定板の正面図。
【図５】同じく図１の取付け座から取り外した座本体の縦断側面図。
【符号の説明】
１０  ドア
１    受け板
１１  第１貫通孔
１２  第２貫通孔
１３  脚片
１４  突部
２    固定板
２２  挿通孔
２３  ねじ孔
３    座本体
３１  環状溝
３２  切欠き
【図１】
0003897312.tif 000002
【図２】
0003897312.tif 000003
【図３】
0003897312.tif 000004
【図４】
0003897312.tif 000005
【図５】
0003897312.tif 000006